(57)【特許請求の範囲】
【請求項１】
円柱状の胴部を有する商品を吊り下げ陳列するための吊り下げ具であって、
前記吊り下げ具は、胴部が挿通され、当該胴部の外径よりも大きな内径を有する環状の帯部と前記帯部の上縁に備えられた吊下片を有し、
前記吊下片は吊り下げられた商品の前傾が妨げられないように前記帯部に備えられ、
吊下片を鉛直にした場合に、前記胴部の背面における面中線と帯部の下縁の交点が、前記胴部の前面における面中線と帯部の下縁の交点よりも上方に位置し、
前記胴部の背面における面中線上の帯部の幅を前記胴部の前面における面中線における帯部の幅と同じかそれよりも大きいことを特徴とする吊り下げ具。
【請求項２】
前記帯部の下縁に前記胴部の側面に沿う保持片を設けたことを特徴とする請求項１に記載の吊り下げ具。
【請求項３】
前記帯部の背面に前記胴部の背面における面中線と帯部の下縁の交点又はその交点の下方から、その先端を帯部内側上方に折り込んだ押出片を設けたことを特徴とする請求項１又は２の何れかに記載の吊り下げ具。
【請求項４】
前記吊下片は当該吊下片の両側が切り欠かれたくびれ部を備えたことを特徴とする請求項１〜３の何れか１項に記載の吊り下げ具。
【請求項５】
前記吊下片は幅狭の矩形状であることを特徴とする請求項１〜３の何れか１項に記載の吊り下げ具。
【請求項６】
前記吊下片は吊り下げられた商品を前傾させるための折り目及び／又は上に凸となった切込みを備えたことを特徴とする請求項１〜５の何れか１項に記載の吊り下げ具。
【発明の詳細な説明】
【技術分野】
【０００１】
本発明は円柱状の商品を吊り下げて陳列するための吊り下げ具に関する。
【背景技術】
【０００２】
商品を陳列するに際し、吊り下げ陳列を可能とする吊り下げ具が種々提案されている。例えば、特開平１１−１１３６９９号公報（特許文献１）には、野球のバットのような端部に径方向に突出した突出部を有する棒状商品を陳列するための吊り下げ具が開示されている。この吊り下げ具は１枚の薄板状の可撓性を有する巻き付け片からなる。この巻き付け片をバットの突出部近傍のテーパ状になった部分に巻き付け、巻き付けた巻き付け片の両端に開設した孔をフックに引っ掛けることによって、バットをほぼ垂直に吊り下げる。
【０００３】
特開平９−３０５３３号公報（特許文献２）や実用新案登録第３０６７２４３号公報（特許文献３）、特開２００１−３３５０６３号公報（特許文献４）には、それぞれ１枚の可撓性を有する薄板からなる巻き付け片の上縁に、吊り下げ用の孔を設けた吊下片を備えた吊り下げ具が開示されている。これらの吊り下げ具は、巻き付け片を略円柱状をした商品に密着させるようにして巻き付け、その両端を接着剤やテープなどによって固定することにより、商品を吊り下げ陳列させている。
【特許文献１】特開平１１−１１３６９９号公報
【特許文献２】特開平０９−３０５３３号公報
【特許文献３】実用新案登録第３０６７２４３号公報
【特許文献４】特開２００１−３３５０６３号公報
【発明の開示】
【発明が解決しようとする課題】
【０００４】
しかしながら、特許文献１の吊り下げ具は、吊下片の上縁がバットの突出部を支えることによりバットを吊り下げているので、スプレー缶などのように胴部がほぼ円柱状のものであれば抜け落ちてしまい、吊り下げ陳列することはできない。
【０００５】
また、特許文献２〜４の吊り下げ具では、円柱状巻き付け片を商品に巻き付け、その巻き付け力によって商品を吊り下げているにすぎないので、巻き付け力が弱いとたやすく商品が抜け落ちてしまうだけでなく、たとえ吊り下げられたとしても経時的に巻きつけ力が低下し、抜け落ちる恐れがあった。それに、巻き付け片の両端を接着剤等で固定しなければならないので、陳列作業に手間が掛かるという問題もあった。
【０００６】
このとき、作業性を高めるために、例えば図１３に示す吊り下げ具１００のように、予め巻き付け片の両端を固定して環状の巻き付け部材１１０とし、その上縁に吊下片１２０を延設することも考えられる。なお図中の破線は水平面を示している。しかしながら、商品への巻き付け力を高めようとすれば、商品へ取り付けが困難になる。一方、取り付けやすくするために巻き付け部材の内径を大きくすると、巻き付け力が弱くなるのでたやすく商品が抜け落ち、やはり吊り下げ陳列できないという問題を生じる。
【０００７】
本発明は上記問題点に鑑みてなされたものであって、本発明の目的は、円柱状の商品を吊り下げ陳列する際に、その作業性を高めるとともに商品の落下を確実に防止する吊り下げ具を提供することにある。
【課題を解決するための手段】
【０００８】
本発明の吊り下げ具は、円柱状の胴部を有する商品を吊り下げ陳列するための吊り下げ具において、胴部が挿通され、当該胴部の外径よりも大きな内径を有する環状の帯部と前記帯部の上縁に吊り下げられた商品の前傾が妨げられないように吊下片を備え、吊下片を鉛直にした場合に、前記胴部の背面における面中線と帯部の下縁の交点を、前記胴部の前面における面中線と帯部の下縁の交点よりも上方に位置させて、胴部の背面における面中線上の帯部の幅を前記胴部の前面における面中線における帯部の幅と同じかそれよりも大きくすることにしている。
【発明の効果】
【０００９】
本発明の吊り下げ具によると、商品に帯部を装着して吊下片をフック等に吊り下げるだけで商品の落下が阻止され、至極簡単な作業により筒状商品の吊り下げ陳列が可能になる。
【発明を実施するための最良の形態】
【００１０】
添付された図面を参照しながら、本発明について詳細に説明する。また、本発明は下記の実施形態に示されたものに限定されることのないのは言うまでもない。
【００１１】
図１は本発明の一実施形態である吊り下げ具の斜視図、図２は当該吊り下げ具の正面図、図３はその背面図、図４はその側面図、図５はその展開図、図６は商品へ装着した状態を示す側面図、図７は商品を吊り下げた状態を示す側面図である。
【００１２】
本発明に係る吊り下げ具１は、商品を吊り下げて陳列するために用いられるものであって、円柱状をした商品１００について用いられるものである。吊り下げ具１は、通例、商品１００の上部に取り付けられ、吊り下げ具１が取り付けられた商品１００は、図７に示すように商品１００が前傾するように吊り下げ陳列される。ここで、本発明に言う円柱状の商品１００とは、胴部１０１が円柱状になっている形態の商品１００をいい、例えば図６や図７に示すように、スプレー缶のように胴部１０１がほぼ円柱状となっている商品１００のみならず、胴部１０１が横断面ドーナツ状をした円筒状の商品１００を含む概念である。また、横断面が真円のみならずわずかに楕円となった商品１００をも含む概念である。すなわち、この吊り下げ具１は商品１００の円柱状をしたいわゆる胴体部分に取り付けられて使用されるものであって、商品１００の上方又は下方から吊り下げ具１を装着できれば、例えば手で操作するノズルが商品１００の上部に備えられている商品１００や商品１００の下端に缶の強化をした環状の接合部を有するスプレー缶のような商品１００にも使用できる。また、コーヒ缶の様に全体が円柱をした商品１００にも使用できるのは言うまでもない。
【００１３】
吊り下げ具１は、その商品１００の胴部１０１に取り付けられる環状の帯部１０と、当該帯部１０の上縁１１に延設された吊下片２０を有する。吊下片２０は陳列台に備えられたフック２００に引っ掛けるための孔２１を備えている。
【００１４】
吊下片２０は図示例の吊り下げ具１では帯部１０と一体に作製されており、吊下片２０及び帯部１０は、例えば図５の展開図に示すように、１枚のプラスチックシートなどのシート状物を切断加工して作製される。吊下片２０は、吊下強度や吊下片２０への表示を考慮して幅広に形成されており、帯部１０からの延設位置近傍において、吊下片２０の左右端が曲線状に切り欠かれた幅狭のくびれ部２２を備えている。吊下片２０の延設位置よりも上方、くびれ部２２の縦方向中程には、商品１００を前屈させやすくするための直線状の折り目２３が形成されている。この結果、シート状物の剛性に妨げられることなく延設位置近傍において、吊り下げられた商品１００が前傾できるようになっている。すなわち、この吊下片２０は商品１００の前傾が妨げられないように、吊下片２０の基端部が幅狭になっているとともに、この基端部近傍の幅方向中程に前傾を助ける折り目２３を備えている。もっとも、商品１００が前傾できるような構成であれば、吊下片２０を別体に作製し、帯部１０に接着剤やテープ状接合部材などによって一体化させても差し支えない。また、折り目２３の形状も直線状に限らず、例えばＹ字形状にしてもよい。
【００１５】
帯部１０はその両端が接着剤等によって固定され、商品１００の取り付け時には予め環状に形成されている。このとき、帯部１０の内径は、商品１００の胴部１０１の外径よりもわずかに大きく、商品１００の上方又は下方から帯部１０を通すことができる程度の大きさである。ここにおいて帯部１０の内径とは、帯部１０の横断面における直径を意味する。つまり、困難なくわずかな力で、帯部１０を商品１００の上方（又は下方）から所望する箇所に取り付けることができればよく、好ましくは、商品１００を直立させて置いた際に、図６に示すように吊り下げ具１が落下しないか、衝撃を与えると簡単に落下する程度の大きさである。もっとも、それよりも大きく、商品１００を直立させた状態で自然落下するような大きさでも差し支えない。ただし、胴部１０１の外径よりもかなり大きくなれば、商品が抜け落ちてしまい吊り下げ陳列することができなくなる。具体的に例示すれば、胴部１０１の外径によっても異なるが、帯部１０の内径が胴部１０１の外径よりも０．１ｍｍ程度大きければ困難なく取り付けることができ、１．３ｍｍ程度よりも大きくなると商品１００が落下して吊り下げ陳列ができないことが多い。帯部１０を構成するシート片３０の合わせ目３１は、吊り下げ具１の正面や背面よりも側面に位置させるのがよい。
【００１６】
帯部１０の幅は全周において均一な幅であってもよいが、好ましくは前記胴部１０１の背面における面中線ロ上の帯部１０の幅が、前記胴部１０１の前面における面中線イにおける帯部１０の幅よりも大きくなるように作製される。つまり、帯部１０は胴部１０１の前面から胴部１０１の背面に向けて帯幅が広くなるように作製される。ここにおいて、面中線とは平面に商品１００を置いた際に当該平面と接する接線に相当する線を意味し、胴部１０１の背面における面中線ロとは、商品１００の背面真正面において帯部１０と胴部１０１とが接する上下方向の線を言い、胴部１０１の前面における面中線イとは、商品１００の真正面において帯部１０と胴部１０１とが接する上下方向の線を意味する。もっとも、この面中線イ，ロは理論上のものであって、実際に帯部１０と胴部１０１が接している箇所は線ではなく幅方向に広がりがある場合もある。また、背面における面中線ロ上の帯部１０の幅は、面中線ロ上において帯部１０の下縁１２から吊下片２０の延設位置、つまり、吊下片２０の左右にある帯部１０の上縁１１を延長する線と面中線ロとの交点まで距離を言う。
【００１７】
帯部１０の下縁１２は、胴部１０１の背面における面中線ロと下縁１２との交点Ｄ（図８参照）が、胴部１０１の前面における面中線イと下縁１２との交点Ｃよりも上方に位置するように作製される。すなわち、図４や図６に示すように、吊下片２０を鉛直方向にして吊り下げ具１を平面（図４の破線で示す）に置いた場合に、帯部１０の下縁１２が胴部１０１の前面から背面に掛けて後方斜め上方に傾斜し、あたかも均一な幅を有する環状の帯部の背部下端を切り欠いた形状となる。
【００１８】
吊り下げ具１は、図６に示すように、吊下片２０や帯部１０が胴部１０１の側面とほぼ平行となるような状態で取り付けられる。そして、図７に示すように、吊下片２０の孔２１をフック２００に引っ掛けることにより、商品１００が前傾して吊り下げられる。このとき、図８に示すように、商品１００の重心Ｇには鉛直方向に重力が掛かる。このために、商品１００は前傾するがその自重によって商品１００は鉛直方向の姿勢に戻ろうとし、胴部１０１の前面における面中線イと帯部１０の下縁１２との交点Ｃと胴部１０１の背面における面中線ロと帯部１０の下縁１２との交点Ｄに理論上反重力方向の力が働くことになる。なお、実際には、帯部１０の下縁１２との交点Ｄよりも上方にある面中線ロ上の位置Ｄ´において反重力方向の力が働く。すなわち、本発明の吊り下げ具１においては、胴部１０１の前面における面中線イと帯部１０の下縁１２との交点Ｃと、胴部１０１の背面における面中線ロと帯部１０の下縁１２との交点Ｄよりも上方にある面中線上の作用点Ｄ´とで商品１００を抱え込むようにすることが重要となる。
【００１９】
帯部１０の幅は、吊り下げる商品１００の重量やその重心Ｇの位置、胴部１０１の外径、胴部１０１の外径と帯部１０の内径との差（クリアランス）などによって異なり、これらの要因を勘案して適宜設定される。胴部１０１の前面においては、面中線イ上の交点Ｃにおいて力が働くので、面中線イ上における帯部１０の幅は極めて狭いものであって差し支えない。この幅は、好ましくは商品１００を保持できる、つまり、商品１００が抜け落ちず、商品１００の重量により帯部１０が切断されないような幅（＝必要最小限の幅）であればよい。一方、面中線イ上における帯部１０の幅が広くなれば、帯部１０の上縁１１と胴部１０１前面の間に隙間が形成され、見栄えが悪くなったり、この隙間にほこりが溜まったりして商品価値の低下を招くおそれがある。従って、その幅は必要最小限の幅にとどめるのが最も望ましいが、このような弊害を来さないのであれば、その幅を広げることは差し支えない（図９〜図１２参照）。一方、胴部１０１の背面における面中線ロ上の帯部１０の幅は、商品１００を傾斜させた状態で吊り下げる必要があり、また、上記のごとく、背面において力が働く場所は帯部１０の下縁１２と面中線ロとの交点Ｄより上方に位置するＤ´点にあるので、少なくとも胴部１０１の前面における面中線イ上の必要最小限の幅と同じかそれよりも広いことが必要となる。
【００２０】
吊り下げ具１は、上記したようにプラスチックシートなどのシート状物から作製されるが、このシート状物は上記したように吊り下げた商品１００が前屈でき、商品を吊り下げられるような強度があれば、その材質は特に問われることはない。例えば軽量な商品１００であれば厚みが数十乃至１００μｍ程度の紙を用いることもできるし、比較的重量のある商品１００であれば５００μｍ〜１ｍｍ程度の厚紙や可撓性のあるプラスチックシートが用いられる。また、折り曲げることにより吊り下げた商品１００が前屈させることができれば、ボール紙などの可撓性が小さく剛性の高い紙やプラスチックシートを用いてもよい。
【００２１】
上記したように本発明の吊り下げ具１は、吊り下げる商品１００の胴部１０１の外径よりも大きな内径を有する環状の帯部１０を有し、商品１００の背面における面中線ロの帯部１０の幅が、商品１００の前面における面中線イの帯部１０の幅と同じかそれよりも幅広に作製され、商品１００の背面における面中線ロと帯部１０の下縁１２が交わる交点Ｄの位置が、その前面における面中線イと帯部１０の下縁１２が交わる交点Ｃの位置よりも高い位置にあるように作製されている。このために、吊り下げられた商品１００は前傾し、交点Ｃと交点Ｄ（実際にはそれよりも上方にある作用点Ｄ´）で抱えられるようにして吊り下げ保持される。その結果、帯部１０の内径が胴部１０１の外径よりも大きく作製されているにもかかわらず、多少の振動や衝撃によって商品１００が帯部１０から外れにくくなる。また、帯部１０１は商品１００の前面から背面に従って幅広くなるため安定性も失われない。そして、帯部１０は胴部１０１よりも大きく作製されているので、商品１００への取り付けも容易に行える。
【００２２】
また、帯部１０をたたむ、すなわち帯部１０を左右に長くなるように押しつぶすことができる。そうすることで、シートを扱うのと同じ取り扱いができ、予め帯部１０を環状に作製したとしても輸送コストの増大を招くことがない。
【００２３】
図９に示すものは本発明の別の実施形態を示す図である。なお、図９（ｃ）の破線は、胴部１０１を抱え込むことになる帯部１０の下縁１２に相当する位置を示している（図１０や図１２においても同じ。）。この吊り下げ具１は、その帯部１０の下縁１２に、吊り下げられた商品１００の側面に沿った保持片１３を備えたものである。本発明の吊り下げ具１は帯部１０の下縁１２と前面における面中線イとの交点Ｃと背面における面中線との交点Ｄとで抱え込むことができればよく、図８の破線に示すＣＤ線より上方にある帯部１０が商品１００の側面を支えることになる。商品１００は前傾して保持され、吊下片２０は前傾を妨げないように帯部１０に取り付けられているので、商品１００の前後方向への揺れに対しては比較的安定に維持される。しかしながら、図８の破線に示すＣＤ線より上方にある帯部１０のみが商品１００の側面を保持しているにすぎず、左右方向への揺れがあると商品１００が抜け落ちるおそれがある。そこで図９に示す吊り下げ具１は、帯部１０の下縁１２に胴部１０１の側面に沿った保持片１３が延設されている。この結果、左右方向への揺れに対する安定性が大きくなるだけでなく、商品１００が鉛直方向の姿勢に戻ろうとする力が増加し、交点Ｃと交点Ｄ（作用点Ｄ´）の間で抱え込む力が大きくなる。保持片１３の形状は問われるものではないが、少なくとも交点Ｃよりも胴部１０１の側方（側面視では、交点Ｃよりも背面側）において延設する必要がある（図９（ｃ）参照）。従って、吊り下げ具１の正面から見た場合には、同図（ａ）に示すように上に凸となった曲線状の切欠きが設けられているように見える。一方、商品１００の背面における保持片１３は商品１００の保持に関して与える影響はほとんどなく、商品１００の背面における保持片１３の形状は特に制約を受けるものではない。例えば、この例では、保持片１３の背部下端Ｅが胴部１０１の背面における面中線ロ上の交点Ｄよりも下方、さらに交点Ｃを通る水平面との交点よりも下方に位置するまで保持片１３の背部が下方に引き延ばされており、吊り下げ具１の背面から見た場合には、同図（ｂ）に示すように水平となった保持片１３の下縁に上に凸となった曲線状の切欠きを設けたように見える。
【００２４】
また、図９に示す吊り下げ具１では、帯部１０の上縁１１に別の保持片１４が設けられている。この保持片１４も商品１００の左右方向への揺れに対して安定にするものであるが、特に必須のものではない。図示した保持片１４は、吊下片２０を鉛直方向にした場合に、保持片１３の上縁がほぼ水平となるように作製されている。この結果、図示しないが、帯部１０を展開した状態では、帯部１０と両保持片１３,１４を合わせた形状はほぼ長方形状となり、シート状物からの作製が容易になる。
【００２５】
図１０は本発明のさらに別な実施形態である吊り下げ具１を示す図である。この吊り下げ具１も、図９に示した吊り下げ具１と同様な構成を有するが、帯部１０の背面部分が交点Ｄから下縁１２の下方に延長され、その先端を帯部１０の内側上方に折り込んだ押出片１５を備えている。図示した押出片１５の先端は、実際上背面において力が作用する作用点Ｄ´にある交点Ｄ近傍に位置している。この押出片１５は、交点Ｄ´よりも下方の位置において、商品１００が鉛直方向に戻ろうとする力を胴部１０１に加え、胴部１０１の前面における面中線イを帯部１０の前面にある交点Ｃに押しつける機能を発揮する。この結果、商品１００がより安定に保持されることになる。なお、この吊り下げ具１における保持片１３の背部下端Ｅは、胴部１０１の背面における面中線ロ上の交点Ｄと同じ位置まで引き延ばされており、吊り下げ具１の背面から見た場合には、同図（ｃ）に示すように下縁が水平となった保持片１３に矩形状に切欠きを設けたように見える。
【００２６】
また、図１０に示す吊り下げ具１の吊下片２０は、折り目２３の一部を上に凸となった曲線状の切込み２４に置き換え、くびれ部２２の縦方向中程に設けられた切込み２４の両端からくびれ部２２の両側端に向けて折り目２３が設けられている。このように折り目２３の一部として切込み２４を設けることにしてもよい。そして、図示はしないが、吊下片２０の材質にもよるが折り目２３の代替として切込み２４のみを設けることにしても差し支えない。
【００２７】
図１１に示す吊り下げ具１は、くびれ部２２や折り目２３が設けられることなく吊下片２０の全体が幅狭の矩形状に作製されている。このように、吊下片２０を幅狭の矩形状にしても、商品１００を前傾させて吊り下げることができる。
【００２８】
図１２は本発明のさらに別な実施形態である吊り下げ具１の側面図である。この吊り下げ具１は、図１０に示す押出片１５の先端が、帯部１０の上縁１１よりも上方に飛び出すように作製されている。この押出片１５は実質的に帯部１０の内径を小さくし、胴部１０１の背面における面中線ロが押出片１５と接することになる。すなわち、押出片１５を備えない場合における面中線ロと帯部１０の下縁１２との交点Ｄは、実質的に図示された交点ＣＤを結ぶ破線と面中線ロとの交点である押出片１５面上の交点Ｄ´´に対応することになる。そして、実際に胴部１０１に力が作用する作用点Ｄ´は、押出片１５を備えない場合に比べてより胴部１０１の下方に移動し、商品１００はより安定に吊り下げられることになる。このように、前記胴部１０１の背面における面中線ロと帯部１０の下縁１２の交点Ｄから、その先端を帯部１０内側上方に折り込んだ押出片１５を設けて、背面において帯部１０に力が作用する作用点Ｄ´を押出片１５上に位置させてもよい。もちろん、図１０に示すように交点Ｄより下方の位置で折り返した押出片１５を設け、作用点Ｄ´を押出片１５上に位置させることにしてもよい。なお、この吊り下げ具１における保持片１３の背部下端Ｅは、胴部１０１の背面における面中線ロ上の交点Ｄと同じ位置まで引き延ばされている。また、吊り下げ具１の背面から見た場合には、図１２（ｃ）に示すように下縁が水平となった保持片１３に矩形状に切欠きを交点Ｄの位置まで設けたように見える。
【００２９】
このように、本発明の吊り下げ具１は、胴部１０１が挿通され、当該胴部１０１の外径よりも大きな内径を有する環状の帯部１０と前記帯部１０の上縁１１に吊り下げられた商品１００の前傾が妨げられないように吊下片２０を備え、吊下片２０を鉛直にした場合に、前記胴部１０１の背面における面中線ロと帯部１０の下縁１２の交点Ｄが、前記胴部１０１の前面における面中線イと帯部１０の下縁１２の交点Ｃよりも上方に位置させて、胴部１０１の背面における面中線ロ上の帯部１０の幅が前記胴部１０１の前面における面中線イにおける帯部１０の幅と同じかそれよりも大きくなるようにしているので、きわめて簡単に円柱状をした商品１００を安定に吊り下げ陳列できる。また、帯部１０の内径は商品１００の胴部１０１の外径よりも大きいので、吊り下げ具１を容易に取り付けられる。
【図面の簡単な説明】
【００３０】
【図１】本発明の一実施形態である吊り下げ具の斜視図である。
【図２】同上の吊り下げ具の正面図である。
【図３】同上の吊り下げ具の背面図である。
【図４】同上の吊り下げ具の側面図である。
【図５】同上の吊り下げ具の展開図である。
【図６】同上の吊り下げ具を商品へ装着した状態を示す側面図である。
【図７】同上の吊り下げ具が装着された商品を吊り下げた状態を示す側面図である。
【図８】同上の吊り下げ具における吊り下げ原理を説明する説明図である。
【図９】本発明の別な実施形態である吊り下げ具を示す図であって、（ａ）はその正面図、（ｂ）はその背面図、（ｃ）はその側面図である。
【図１０】本発明のさらに別な実施形態である吊り下げ具を示す図であって、（ａ）はその正面図、（ｂ）はその背面図、（ｃ）はその側面図である。
【図１１】本発明のさらに別な実施形態である吊り下げ具の正面図である。
【図１２】本発明のさらに別な実施形態である吊り下げ具の側面図である。
【図１３】均一幅を有する環状の帯部を備えた吊り下げ具の一例を示す側面図である。
【符号の説明】
【００３１】
１  本発明の吊り下げ具
１０  帯部
１１  帯部の上縁
１２  帯部の下縁
１３  帯部の下縁に延設された保持片
１５  押出片
２０  吊下片
２２  くびれ部
２３  前傾しやすくするための折り目
【要約】
【課題】  円柱状の商品を吊り下げ陳列する際に、その作業性を高めるとともに商品の落下を確実に防止する吊り下げ具を提供する。
【解決手段】  円柱状の胴部１０１を有する商品１００を吊り下げ陳列するための吊り下げ具１において、胴部１０１が挿通され、当該胴部１０１の外径よりも大きな内径を有する環状の帯部１０と前記帯部１０の上縁１１に吊り下げられた商品１００の前傾が妨げられないように吊下片２０を備え、吊下片２０を鉛直にした場合に、前記胴部１０１の背面における面中線ロと帯部１０の下縁１２の交点Ｄを前記胴部１０１の前面における面中線イと帯部１０の下縁１２の交点Ｃよりも上方に位置させて、胴部１０１の背面における面中線ロ上の帯部１０の幅を前記胴部１０１の前面における面中線イにおける帯部１０の幅と同じかそれよりも大きく作製する。
【選択図】図７【図１】
0004137989.tif 000002
【図２】
0004137989.tif 000003
【図３】
0004137989.tif 000004
【図４】
0004137989.tif 000005
【図５】
0004137989.tif 000006
【図６】
0004137989.tif 000007
【図７】
0004137989.tif 000008
【図８】
0004137989.tif 000009
【図９】
0004137989.tif 000010
【図１０】
0004137989.tif 000011
【図１１】
0004137989.tif 000012
【図１２】
0004137989.tif 000013
【図１３】
0004137989.tif 000014